(57)【要約】【課題】  点検整備において球皿に排出された遊技球を簡単に且つ手間なく回収できるような構成の弾球遊技機（パチンコ機）を提供する。【解決手段】  本発明では、固定保持用の外枠２０と、外枠２０の開放空間を覆って装着される前枠３０と、前枠３０の前面側に入賞装置を備えて取り付けられた遊技盤と、前枠３０に取り付けられて遊技盤の前面の遊技領域内に遊技球を発射する発射装置と、前枠３０に取り付けられて発射装置から発射された遊技球が遊技領域内で入賞したときに払い出される遊技球を貯留する上球皿装置４０とを有して構成されるパチンコ機ＰＭにおいて、上球皿装置４０に貯留された遊技球をパチンコ機ＰＭの背面側に排出させる第１排出路７１が前枠３０に設けられており、第１排出路７１を開閉可能な開閉部材７５が第１排出路７１における上球皿装置４０に開口する部分に設けられている。【選択図】  図５
2005287865.tif 000002
【特許請求の範囲】
【請求項１】
固定保持用の外枠と、前記外枠の開放空間を覆って装着される前枠と、前記前枠の前面側に入賞装置を備えて取り付けられた遊技盤と、前記前枠に取り付けられて前記遊技盤の前面の遊技領域内に遊技球を発射する発射装置と、前記前枠に取り付けられて前記発射装置から発射された遊技球が前記遊技領域内で入賞したときに払い出される遊技球を貯留する球皿とを有して構成される弾球遊技機において、
前記球皿に貯留された遊技球を弾球遊技機の背面側に排出させる排出路が前記前枠に設けられており、前記排出路を開閉可能な開閉部材が前記排出路における前記球皿に開口する部分に設けられていることを特徴とする弾球遊技機。
【請求項２】
前記開閉部材は弾球遊技機が点検、整備等のときに前記排出路を開放し、点検、整備時に前記球皿に排出された遊技球を前記排出路を介して前記弾球遊技機の背面側に排出させ、
前記開閉部材は遊技中には前記排出路を閉止して使用されるように構成されていることを特徴とする請求項１に記載の弾球遊技機。
【請求項３】
前記開閉部材の開閉操作は前記前枠の裏面側からのみ可能であるように構成されることを特徴とする請求項１もしくは２に記載の弾球遊技機。
【発明の詳細な説明】
【技術分野】
【０００１】
本発明は、固定保持用の外枠の開放空間を覆って前枠が装着され、この前枠の前面側に入賞装置を備えて遊技盤が取り付けられ、この遊技盤の前面の遊技領域内に遊技球を発射する発射装置が前枠に設けられ、発射装置から発射された遊技球が遊技領域内で入賞したときに払い出される遊技球を球皿に貯留するように構成される弾球遊技機に関する。
【背景技術】
【０００２】
このような弾球遊技機として、例えば、特許文献１に開示のパチンコ機があり、一般的にこのようなパチンコ機が遊技ホール内に多数整列配置されて遊技に供される。遊技ホールにおいて遊技者は、多数整列配置されたパチンコ機のうちから任意のパチンコ機を選択し、遊技球を購入した後にこの遊技球を発射装置により遊技領域内に発射して、遊技領域内で遊技球を入賞装置に入賞させる遊技を楽しむようになっている。この遊技において、入賞装置に遊技球が入賞するのに応じて所定の数の遊技球が賞球として球皿に排出されて貯留されるようになっており、遊技者は球皿に貯留した球を遊技ホールが提供する景品と交換できるようになっている。
【０００３】
一方、遊技ホールにおいては各パチンコ機について定期的な点検整備を行い、パチンコ機を良好な状態に保って遊技者が不都合、不便なく遊技を行えるようにしている。このような点検整備に際しては、遊技領域内の入賞装置に遊技球を投入して賞球の排出が正常に行われるか否かの点検を行ったり、パチンコ機の裏面に設けられた賞球排出機構を作動させてこれらが正常に作動するか否かの点検を行ったりする。
【０００４】
【特許文献１】特許第３２５６８５５号公報
【発明の開示】
【発明が解決しようとする課題】
【０００５】
ところで、上記のような遊技ホールでの点検整備に際して遊技球が球皿に排出されるが、このようにして球皿に貯留される遊技球は賞球ではないため、点検整備が終了後に球皿から回収されて球皿を空にして実際の遊技が可能な状態にする。このとき、遊技ホール内には多数のパチンコ機が配設されており、これら多数のパチンコ機の点検整備の都度、各パチンコ機毎について球皿に排出された遊技球を回収する作業が必要であり、点検整備作業が繁雑で時間がかかる作業となっているという問題がある。
【０００６】
本発明はこのような問題に鑑みたもので、点検整備において球皿に排出された遊技球を簡単に且つ手間なく回収できるような構成の弾球遊技機（パチンコ機）を提供することを目的とする。
【課題を解決するための手段】
【０００７】
このようなことから、本発明に係る弾球遊技機（例えば、実施形態におけるパチンコ機ＰＭ）は、固定保持用の外枠と、外枠の開放空間を覆って装着される前枠と、前枠の前面側に入賞装置（例えば、実施形態における入賞具３８）を備えて取り付けられた遊技盤と、前枠に取り付けられて遊技盤の前面の遊技領域内に遊技球を発射する発射装置と、前枠に取り付けられて発射装置から発射された遊技球が遊技領域内で入賞したときに払い出される遊技球を貯留する球皿（例えば、実施形態における上球皿装置４０）とを有して構成される弾球遊技機において、球皿に貯留された遊技球を弾球遊技機の背面側に排出させる排出路（例えば、実施形態における第１排出路７１）が前枠に設けられており、排出路を開閉可能な開閉部材が排出路における球皿に開口する部分に設けられている。
【０００８】
また、この構成の弾球遊技機において、開閉部材は弾球遊技機が点検、整備等のときに排出路を開放し、点検、整備時に球皿に排出された遊技球を排出路を介して弾球遊技機の背面側に排出させ、開閉部材は遊技中には排出路を閉止して使用されるように構成されていることが好ましい。
【０００９】
さらに、この構成の弾球遊技機において、開閉部材の開閉操作は前枠の裏面側からのみ可能であるように構成されることが好ましい。
【発明の効果】
【００１０】
上記構成の本発明に係る弾球遊技機によれば、球皿に貯留された遊技球を弾球遊技機の背面側に排出させる排出路が前枠に設けられているので、弾球遊技機の点検整備等に際して球皿に排出される遊技球を、球皿から排出路に排出させて遊技機の背面側に排出させることにより簡単に回収することができる。このため、点検整備において球皿に排出された遊技球を簡単に且つ手間なく回収でき、点検整備作業の効率化を図ることができる。
【００１１】
また、開閉部材は弾球遊技機が点検、整備等のときに排出路を開放し、遊技中には排出路を閉止して使用されるように構成されることで、遊技中において球皿に貯留された遊技球が遊技機の背面側に排出されてしまうのを防止することができる。
【００１２】
さらに、開閉部材の開閉操作は前枠の裏面側からのみ可能であるように構成されることで、遊技中において開閉部材が誤って開放操作され、球皿に貯留された遊技球が遊技機の背面側に排出されてしまうのを防止することができる。
【発明を実施するための最良の形態】
【００１３】
以下、図面を参照して本発明の好ましい実施形態について説明する。まず、図１〜図３に遊技ホールにおけるパチンコ機ＰＭの配置構成を示しており、遊技ホール内においては、複数列に並んで多数のパチンコ機ＰＭが配設されて遊技に供されるようになっている。このようにパチンコ機ＰＭを整列配置する構造物を一般的に遊技島と称しており、パチンコ機ＰＭを背中合わせに２列に並んで配置する両列島形式と、壁に背を向けるように１列に並んで配置する壁島形式とがあるが、ここでは両列島形式の遊技島構造を示している。
【００１４】
この両列遊技島構造は、背中合わせに配置されて間に球回収空間５を形成する一対の島構造体１０，１０を有し、各島構造体１０は、天井側から順に配設された、島幕板１１と、呼び出しランプ１２ａを有したランプ板１２と、パチンコ機ＰＭを横に１列に並んで配設する保持枠１３と、球箱載せ台となる天板１４と、腰板１５と、床面に接する巾木１６とからなり、上下に延びた状態に構成される。遊技ホール内には、このような両列遊技島構造が複数列並んで配設され、さらに、壁際には壁遊技島構造が配設されており、各遊技島構造の間に遊技者等が通る通路スペース１が形成される。
【００１５】
なお、通路スペース１の床面には、各パチンコ機ＰＭの前側に位置して支柱１８により支持されたシート１７が設けられており、遊技者はシート１７に座ってその前面のパチンコ機ＰＭを操作して遊技を行うようになっている。また、球回収空間５内には、後述するように遊技中において入賞せずにアウト口に入り込んだアウト球をホール側に回収するための、回収通路６が設けられている。この回収通路６は各パチンコ機ＰＭから排出された球Ｂ（アウト球）を一方の側に集めて回収できるように、遊技島構造の列が延びる方向のいずれか一方側に傾斜しており、回収通路６内に落下した球Ｂがこの傾斜に沿っていずれか一方側に転がって集まるようになっている。
【００１６】
次に、島構造体１０の保持枠１３に保持されて取り付けられるパチンコ機ＰＭの構成について簡単に説明する。パチンコ機ＰＭは、外郭方形枠サイズに構成されて縦向きの固定保持枠をなす外枠２０の前面開口（開放空間）に、これに合わせた方形枠サイズに構成されて開閉搭載用の前枠３０が前面左側のヒンジ機構３１により横開き開閉および着脱が可能に取り付けられ、施錠装置３２により常には外枠２０の前面を覆った閉止状態で保持される。
【００１７】
上記外枠２０は、木材や樹脂等で成形加工された複数本の定形尺の枠部材すなわち上下の枠板２１，２４および左右の枠板２２，２３を直角に枠組み連結するとともに、各隅角部に補強金具を固定して構成されており、保持枠１３内に固定される。下枠板２４の前面は左右の枠板２２，２３より前方に突出し、その突出部の上面に位置するとともに左右の枠板２２，２３の前面に連結されて左右に延びる幕板２５が取り付けられている。
【００１８】
前枠３０の前面上部側には、透明アクリル板やガラス板を有したガラス扉３３が左端部のヒンジ（図示せず）を介して横開きおよび着脱が自在に取り付けられ、施錠装置３２により常には前枠３０の前面を覆う閉止状態に保持される。ガラス扉３３の背後に位置する前枠上部には、遊技盤３５を着脱自在に収容する収容枠が設けられており、この収容枠に立設姿勢で係止保持された遊技盤３５がガラス扉３３を通して視認されるようになっている。遊技盤３５は、所定板厚の積層合板の表面にセルを貼り付けてルーター加工した化粧板を基板とし、円弧状のレール３６に囲まれて略円形状の遊技領域ＰＡが形成されている。遊技領域ＰＡには多数本の遊技釘（図示せず）や風車とともに各種の入賞具３８、遊技の展開状況に応じた図柄を表示させる画像表示装置３７、サイドランプ等の遊技構成部品が取り付けられ、下端部にアウト口３９が設けられている。
【００１９】
前枠３０の前面における上記ガラス扉３３の下側には、上球皿装置４０が左端のヒンジ機構により横開きおよび着脱可能に取り付けられ、常にはガラス扉３３の下側において前枠３０の前面を覆った状態で係止保持されている。この上球皿装置４０には、前方に突出して形成され、遊技中に払い出される入賞球を受容して貯留する上球皿部４１と、上球皿装置４０の背面側に形成される球排出口４１ａ（図５を参照）と、上球皿部４１内に貯留された入賞球を球排出口４１ａから排出するための操作を行う球排出レバー４２とが設けられている。なお、詳細図示しないが、上球皿部４１に前面側が覆われた前枠２の下部領域には遊技補助盤と称される補助機構部が形成されており、この遊技補助盤の各部に、遊技盤３５の遊技領域ＰＡ内に遊技球を発射する発射装置や、スピーカ等が設けられている。
【００２０】
さらに、前枠３０の前面における上球皿装置４０の下側に下球皿装置５０が前方に突出して設けられている。この下球皿装置５０は、上球皿部４１内に貯留された入賞球がオーバーフローしたときや、遊技者が上球皿装置４０の球排出レバー４２を操作して上球皿部４１の球排出口４１ａ（図５を参照）から入賞球が排出されたときに前枠３０に形成された球皿連絡通路５５を介して送られてくる入賞球を受容して貯留する下球皿部５１と、下球皿部５１の底面に設けられた球抜き孔（図示せず）と、下球皿部５１に貯留された遊技球を球抜き孔から排出させるための球抜きレバー５３（図５を参照）とから構成される。下球皿部５１の近傍には、遊技球の発射操作を行う発射ハンドル４５と、下球皿部５１の左側に位置する灰皿４８とが設けられている。
【００２１】
図５に示すように、球皿連絡通路５５は、前端が上球皿部４１の球排出口４１ａに対向して開口し、パチンコ機ＰＭの後方へ向けて下方に傾斜して延びる上側連絡通路５６と、上側連絡通路５６の後端部から下球皿部５１に通じる下通出口５９まで下方へ延びる下側連絡通路５８と、上側連絡通路５６と下側連絡通路５８とを連通する連絡口５７とから構成される。そして、球排出口４１ａから上側連絡通路５６に排出された遊技球（入賞球）は、上側連絡通路５６、連絡口５７、下側連絡通路５８の順に転がり落ちた後、下通出口５９を通過して下球皿部５１に達するようになっている。
【００２２】
前枠３０の裏面側には、球貯留タンク６１、球貯留タンク６１から供給された遊技球を落下移動させつつ整列させるタンクレール６２、遊技盤３５における入賞状態等に基づいてタンクレール６２を通ってタンク６１から供給される遊技球を賞球として上球皿装置４０に払い出す球払出装置６３、球払出装置６３から払い出された賞球を上球皿部４１に導く賞球通路６７、遊技中での各種制御を行うための電源基板６４、主基板６５、画像表示装置３７の裏面側に位置して画像表示制御を行う画像制御基板６６等が図示のように配設されている。また、図示していないが、遊技中において遊技盤３５の入賞具３８に入賞することなく落下してアウト口３９に入り込んだ遊技球をパチンコ機ＰＭの背面側に導くアウト球通路が設けられている。このアウト球通路に導かれたアウト球はパチンコ機ＰＭの背面に開口したアウト球排出口３９ａから球回収空間５に排出され、回収通路６上に落下し、回収通路６上を転がって移動して、回収される。
【００２３】
以上のように概略構成されるパチンコ機ＰＭにおいて、上球皿部４１に貯留された遊技球（入賞球）をパチンコ機ＰＭの背面側に排出させるための第１排出路７１が上側連絡通路５６の後方に繋がって形成されており、この第１排出路７１を開閉可能な開閉部材７５が、第１排出路７１における上側連絡通路５６との連通部、すなわち第１排出路７１における上球皿部４１に向けて開口する部分に設けられている。そこで、第１排出路７１および開閉部材７５について、図４および図５を参照しながら説明する。
【００２４】
第１排出路７１は、図５に示すように、前枠３０の下部中央から後方へ延びて途中で略鉛直下方へ折れ曲がるように形成された略筒状の第１排出部７０の内部に形成される。第１排出路７１の下端には第１排出口７２が形成されており、第１排出路７１の下端に達した遊技球Ｂがこの第１排出口７２を通過してパチンコ機ＰＭの背面側に排出されるようになっている。
【００２５】
開閉部材７５は、図５に示すように、ＡＢＳ樹脂やポリカーボネート（ＰＣ）等の樹脂材料を用いて射出成形等の成形手段により板状に形成され、球皿連絡通路５５の連絡口５７および第１排出路７１を閉止可能な板部７６を主体に構成される。板部７６の一端には軸部７７が形成されており、連絡口５７の側壁部に形成された軸穴７３に回転自在に取り付けられるようになっている。これにより、開閉部材７５（板部７６）が軸部７７を揺動軸として揺動可能になる。
【００２６】
板部７６の他端側にはガイドピン部７８が側方に突出して形成されており、上側連絡通路５６の側部に円弧状に形成されたガイド穴７４の内部に位置するようになっている。そして、ガイドピン部７８がガイド穴７４の上端部近傍に位置すると、図５に示すように、開閉部材７５が第１排出路７１を閉止して球皿連絡通路５５の連絡口５７を開放する排出路閉止位置に揺動し、ガイドピン部７８がガイド穴７４の下端部に位置すると、図５の二点鎖線で示すように、開閉部材７５が第１排出路７１を開放して連絡口５７を閉止する排出路開放位置に揺動するように構成される。
【００２７】
なお、ガイド穴７４の上端部から下方へ延びて係止部７４ａが形成されており、この係止部７４ａにガイドピン部７８を係止させることで、開閉部材７５が排出路開放位置で固定されるようになっている。なお、図５に示すように、軸穴７３は上下に延びる長穴状に形成されており、ガイドピン部７８が係止部７４ａに係止するときには、ガイドピン部７８が係止部７４ａに向けて下方へ移動するのと同時に、軸部７７が軸穴７３に沿って下方へ移動するようになっている。
【００２８】
また、図４に示すように、軸部７７の一端には、摘み部７９が（軸部７７の一端から軸穴７３を通過し）球皿連絡通路５５の外部に位置して形成されており、この摘み部７９を摘んで開閉部材７５を容易に揺動させることができるようになっている。図４からわかるように、摘み部７９は前枠３０の裏面側に位置しており、開閉部材７５の開閉操作は前枠３０の裏面側からのみ可能となっている。これにより、遊技中において開閉部材７５が誤って開放操作され、上球皿部４１に貯留された遊技球がパチンコ機ＰＭの背面側に排出されてしまうのを防止することができる。
【００２９】
以上のように構成される開閉部材７５は、通常、第１排出路７１を閉止して球皿連絡通路５５の連絡口５７を開放する排出路閉止位置に位置し、この状態で遊技に供される。このとき、遊技者が上球皿装置４０の球排出レバー４２を操作することで、上球皿部４１の球排出口４１ａから球皿連絡通路５５の上側連絡通路５６に排出された遊技球Ｂ（入賞球）は、図５に示すように、上側連絡通路５６、連絡口５７、下側連絡通路５８の順に転がり落ちた後、下通出口５９を通過して下球皿部５１に達し、下球皿部５１に貯留される。
【００３０】
一方、遊技ホール側における点検整備等に際しては、図５の二点鎖線で示すように、開閉部材７５を揺動させて、開閉部材７５が第１排出路７１を開放して連絡口５７を閉止する排出路開放位置に位置させる。このような点検整備においては、入賞装置３８等に遊技球を投入して賞球の払出が正常に行えるか等の点検を行ったり、試し打ちをして正常な作動を行うかの点検を行ったりするため、上球皿部４１内に遊技球が払い出されて貯留される。このように貯留された遊技球は、遊技ホールを開店して遊技に供する前に回収する必要があるため、上球皿装置４０の球排出レバー４２を操作することで遊技球の回収が行われる。
【００３１】
このとき、上球皿部４１の球排出口４１ａから球皿連絡通路５５の上側連絡通路５６に排出された遊技球Ｂは、図５の二点鎖線で示すように、上側連絡通路５６および開閉部材７５上を転がり落ちて第１排出路７１に達し、第１排出路７１を転がり落ちた後、第１排出口７２からパチンコ機ＰＭ背面側の球回収空間５に排出されて回収通路６（図３を参照）上に落下し、回収通路６上を転がって移動し回収される。
【００３２】
このようにして、パチンコ機ＰＭの点検整備等に際して上球皿部４１に排出される遊技球を、上球皿部４１から第１排出路７１に排出させてパチンコ機ＰＭの背面側に排出させることにより簡単に回収することができる。このため、点検整備において上球皿部４１に排出された遊技球を簡単に且つ手間なく回収でき、点検整備作業の効率化を図ることができる。また、開閉部材７５はパチンコ機ＰＭが点検、整備等のときに第１排出路７１を開放し、遊技中には第１排出路７１を閉止して使用されるように構成されることで、遊技中において上球皿部４１に貯留された遊技球がパチンコ機ＰＭの背面側に排出されてしまうのを防止することができる。
【００３３】
ところで、前枠３０側の賞球通路６７には、球払出装置６３から払い出された遊技球（賞球）を、上球皿部４１に払い出すか、第２排出路８１に通過させてパチンコ機ＰＭの背面側に排出させるかを切り換える排出切り換え装置９０が設けられている。そこで、第２排出路８１および排出切り換え装置９０について、図６〜図９を参照しながら説明する。
【００３４】
第２排出路８１は、図６〜図９に示すように、賞球通路６７の後側底部中央から略鉛直下方へ延びて形成された略筒状の第２排出部８０の内部に形成される。第２排出路８１の上端には排出導入口８２が形成されており、この排出導入口８２を介して第２排出路８１と賞球通路６７とが連通するようになっている。また、第２排出路８１の下端には第２排出口８３が形成されており、図９の二点鎖線で示すように、第２排出路８１の下端に達した遊技球Ｂがこの第２排出口８３を通過してパチンコ機ＰＭの背面側に排出されるようになっている。
【００３５】
排出切り換え装置９０は、排出導入口８２の近傍に配設された切り換え部材９１から構成される。切り換え部材９１は、図７および図８に示すように、ＡＢＳ樹脂やポリカーボネート（ＰＣ）等の樹脂材料を用いて射出成形等の成形手段により板状に形成され、賞球通路６７および排出導入口８２を閉止可能な板部９２を主体に構成される。板部９２の一端には軸部９３が形成されており、排出導入口８２の側壁部に形成された軸穴８４に回転自在に取り付けられるようになっている。これにより、切り換え部材９１（板部９２）が軸部９３を揺動軸として揺動可能になる。
【００３６】
板部９２の他端側にはガイドピン部９４が側方に突出して形成されており、賞球通路６７の側部に円弧状に形成されたガイド穴８５の内部に位置するようになっている。そして、ガイドピン部９４がガイド穴８５の下端部に位置すると、図７に示すように、切り換え部材９１が賞球通路６７を開放して排出導入口８２を閉止する非排出切り換え位置に揺動し、ガイドピン部９４がガイド穴８５の上端部近傍に位置すると、図７の二点鎖線で示すように、切り換え部材９１が賞球通路６７を閉止して排出導入口８２を開放する排出切り換え位置に揺動するように構成される。
【００３７】
なお、ガイド穴８５の上端部から右方（図６および図７における左方）へ下傾するように延びて係止部８５ａが形成されており、この係止部８５ａにガイドピン部９４を係止させることで、切り換え部材９１が排出切り換え位置で固定されるようになっている。なお、図７に示すように、軸穴８４は上下に延びる長穴状に形成されており、ガイドピン部９４が係止部８５ａに係止するときには、ガイドピン部９４が係止部８５ａに向けて右下方（図７における左下方）へ移動するのと同時に、軸部９３が軸穴８４に沿って下方へ移動するようになっている。
【００３８】
また、図６および図９に示すように、軸部９３の一端には、摘み部９５が（軸部９３の一端から軸穴８４を通過し）賞球通路６７の外部に位置して形成されており、この摘み部９５を摘んで切り換え部材９１を容易に揺動させることができるようになっている。図６および図９からわかるように、摘み部９５は前枠３０の裏面側に位置しており、排出切り換え装置９０（切り換え部材９１）の開閉操作は前枠３０の裏面側からのみ可能となっている。これにより、遊技中において排出切り換え装置９０が誤って開放操作され、入賞時に球払出装置６３から払い出される遊技球がパチンコ機ＰＭの背面側に排出されてしまうのを防止することができる。
【００３９】
以上のように構成される排出切り換え装置９０は、通常、遊技領域ＰＡ内で（入賞具３８に）入賞したときに払い出される遊技球を上球皿部４１に払い出すように切り換えられ、この状態で遊技に供される。すなわち、図７に示すように、排出切り換え装置９０の切り換え部材９１が賞球通路６７を開放して排出導入口８２を閉止する非排出切り換え位置に位置した状態で遊技に供される。このとき、入賞時に球払出装置６３から賞球通路６７へ払い出された遊技球Ｂ（賞球）は、図７および図９に示すように、切り換え部材９１の上を通過してそのまま賞球通路６７を転がり落ちた後、前枠３０の前面側に形成された上通出口８９を通過して上球皿部４１に達し、上球皿部４１に貯留される。
【００４０】
一方、遊技ホール側における点検整備等に際しては、排出切り換え装置９０を、入賞時に球払出装置６３から払い出される遊技球をパチンコ機ＰＭの背面側に排出させるように切り換える。すなわち、図７の二点鎖線で示すように、切り換え部材９１を揺動させて、切り換え部材９１が賞球通路６７を閉止して排出導入口８２を開放する排出切り換え位置に位置させる。このような点検整備において、入賞装置３８等に遊技球を投入して賞球の払出が正常に行えるか等の点検を行ったり、試し打ちをして正常な作動を行うかの点検を行ったりするときに、入賞時に球払出装置６３から払い出される遊技球を排出切り換え装置９０により切り換えてパチンコ機ＰＭの背面側に排出させるようにすれば、遊技球の回収を効率よく行うことができる。
【００４１】
このとき、入賞時に球払出装置６３から賞球通路６７へ払い出された遊技球Ｂ（賞球）は、図７および図９の二点鎖線で示すように、排出導入口８２を通過して第２排出路８１に達し、第２排出路８１を転がり落ちた後、第２排出口８３からパチンコ機ＰＭ背面側の球回収空間５に排出されて回収通路６（図３を参照）上に落下し、回収通路６上を転がって移動し回収される。
【００４２】
このようにして、パチンコ機ＰＭの点検整備等に際して入賞時に払い出される遊技球を、排出切り換え装置９０の切り換えによりパチンコ機ＰＭの背面側に排出させることで簡単に回収することができる。このため、点検整備において入賞時に払い出される遊技球を簡単に且つ手間なく回収でき、点検整備作業の効率化を図ることができる。また、排出切り換え装置９０が、パチンコ機ＰＭが点検、整備等のときには遊技領域ＰＡ内で入賞したときに払い出される遊技球をパチンコ機ＰＭの背面側に排出させる側に切り換え、遊技中には遊技領域ＰＡ内で入賞したときに払い出される遊技球を上球皿部４１に払い出す側に切り換えて使用されるように構成されることで、遊技中において入賞時に払い出される遊技球がパチンコ機ＰＭの背面側に排出されてしまうのを防止することができる。
【００４３】
このため、以上のような構成のパチンコ機ＰＭによれば、上球皿部４１に貯留された遊技球をパチンコ機ＰＭの背面側に排出させる第１排出路７１が前枠３０に設けられているので、パチンコ機ＰＭの点検整備等に際して上球皿部４１に排出される遊技球を、上球皿部４１から第１排出路７１に排出させてパチンコ機ＰＭの背面側に排出させることにより簡単に回収することができる。このため、点検整備において上球皿部４１に排出された遊技球を簡単に且つ手間なく回収でき、点検整備作業の効率化を図ることができる。
【００４４】
また、開閉部材７５はパチンコ機ＰＭが点検、整備等のときに第１排出路７１を開放し、遊技中には第１排出路７１を閉止して使用されるように構成されることで、遊技中において上球皿部４１に貯留された遊技球がパチンコ機ＰＭの背面側に排出されてしまうのを防止することができる。
【００４５】
さらに、開閉部材７５の開閉操作は前枠３０の裏面側からのみ可能であるように構成されることで、遊技中において開閉部材７５が誤って開放操作され、上球皿部４１に貯留された遊技球がパチンコ機ＰＭの背面側に排出されてしまうのを防止することができる。
【００４６】
また、遊技領域ＰＡ内で入賞したときに払い出される遊技球を、上球皿部４１に払い出すか、パチンコ機ＰＭの背面側に排出させるかを切り換える排出切り換え装置９０が前枠３０に設けられているので、パチンコ機ＰＭの点検整備等に際して入賞時に払い出される遊技球を、排出切り換え装置９０の切り換えによりパチンコ機ＰＭの背面側に排出させることで簡単に回収することができる。このため、点検整備において入賞時に払い出される遊技球を簡単に且つ手間なく回収でき、点検整備作業の効率化を図ることができる。
【００４７】
さらに、排出切り換え装置９０が、パチンコ機ＰＭが点検、整備等のときには遊技領域ＰＡ内で入賞したときに払い出される遊技球をパチンコ機ＰＭの背面側に排出させる側に切り換え、遊技中には遊技領域ＰＡ内で入賞したときに払い出される遊技球を上球皿部４１に払い出す側に切り換えて使用されるように構成されることで、遊技中において入賞時に払い出される遊技球がパチンコ機ＰＭの背面側に排出されてしまうのを防止することができる。
【００４８】
また、排出切り換え装置９０の切り換え操作は前枠３０の裏面側からのみ可能であるように構成されることで、遊技中に排出切り換え装置９０が誤って切り換え操作され、遊技中において入賞時に払い出される遊技球がパチンコ機ＰＭの背面側に排出されてしまうのを防止することができる。
【００４９】
さらに、第２排出路８１は、第２排出路８１より上流側に位置する部品交換の際に、球払出装置６３によって（払い出され）球抜きされた遊技球が流下する通路としても使用することが可能であるため、第１排出路７１（開閉部材７５）と第２排出路８１（排出切り換え装置９０）とを用途に応じて使い分けることができる。
【００５０】
なお、上述の実施形態において、上球皿装置４０と下球皿装置５０とを有したパチンコ機を例にして示したが、これに限られるものではなく、一体型の一つの球皿を有したパチンコ機についても本発明を適用できることは無論である。
【図面の簡単な説明】
【００５１】
【図１】本発明に係るパチンコ機（弾球遊技機）を有して構成される遊技島構造を示す正面図である。
【図２】上記遊技島構造の背面図である。
【図３】上記遊技島構造の側面図である。
【図４】第１排出路および開閉部材の背面図である。
【図５】第１排出路および開閉部材の右側面図（部分断面図）である。
【図６】排出切り換え装置の背面図である。
【図７】排出切り換え装置の拡大背面図（部分断面図）である。
【図８】排出切り換え装置の斜視図である。
【図９】排出切り換え装置の右側面図（部分断面図）である。
【符号の説明】
【００５２】
ＰＭ  パチンコ機（弾球遊技機）
ＰＡ  遊技領域
２０  外枠
３０  前枠
３８  入賞具（入賞装置）
４０  上球皿装置（球皿）
５５  球皿連絡通路
５６  上側連絡通路
５７  連絡口
５８  下側連絡通路
５９  下通出口
６７  賞球通路
７０  第１排出部
７１  第１排出路
７２  第１排出口
７５  開閉部材
８０  第２排出部
８１  第２排出路
８２  排出導入口
８３  第２排出口
８９  上通出口
９０  排出切り換え装置
９１  切り換え部材
【図１】
2005287865.tif 000003
【図２】
2005287865.tif 000004
【図３】
2005287865.tif 000005
【図４】
2005287865.tif 000006
【図５】
2005287865.tif 000007
【図６】
2005287865.tif 000008
【図７】
2005287865.tif 000009
【図８】
2005287865.tif 000010
【図９】
2005287865.tif 000011